(57)【要約】【課題】金属部材に錆が発生しにくくし、摺動部の摺動力量が大きくなったり、電気的な接点部の導通抵抗が低下するのを防止すること。【解決手段】内視鏡の操作部とバッテリ装置との相対的な位置の変化に伴ってスイッチ操作することで、導電接点板５５，５６の接触および切り離しを行い、さらに導電接点板５５，５６の接触時に、導電接点板５５を摺動ブロック５９で摺動させて、導電接点板５５，５６の接続面が互いに擦れ合うようにすることで金属部材である接点部に錆が発生しにくくする。【選択図】        図９
2006120531.tif 000002
【特許請求の範囲】
【請求項１】
バッテリ手段を収納するための装置内部に設けられ、前記バッテリ手段と電気的に接続するための電極部と、
前記電極部と接続される第１の接点部と、
前記バッテリ手段から供給される電源により作動する機能実行手段と、
前記機能実行手段と接続される第２の接点部と、
前記第１の接点部と前記第２の接点部との接続または切り離しを行う切替手段と、
前記接続された第１および第２の接点部のうちの少なくとも一方を摺動させる摺動手段と、
を備えることを特徴とするバッテリ装置。
【請求項２】
前記バッテリ装置は、所定対象装置に装着される装着手段を、
さらに備え、前記切替手段は、前記装着手段で装着される前記バッテリ装置と前記所定対象装置との相対的な位置の変化に伴って、前記第１の接点部と前記第２の接点部との接続または切り離しを行い、
前記摺動手段は、前記接続時に少なくとも一方の前記接点部の摺動の開始および終了を行うことを特徴とする請求項１に記載のバッテリ装置。
【請求項３】
前記第１の接点部と前記第２の接点部とが電気的に接続した状態で、前記第１および第２の接点部のうちの少なくとも一方が、通常導電位置と摺動位置との間を往復移動可能なことを特徴とする請求項１に記載のバッテリ装置。
【請求項４】
バッテリ手段を収納するための装置内部に設けられ、前記バッテリ手段と電気的に接続するための電極部と、
前記電極部と接続される第１の接点部と、
前記バッテリ手段から供給される電源により作動する機能実行手段と、
前記機能実行手段と接続される第２の接点部と、
前記第１の接点部と前記第２の接点部との接続または切り離しを行う切替手段と、
前記接続された第１および第２の接点部のうちの少なくとも一方を摺動させる摺動手段と、
所定対象装置に装着される装着手段と、
を有するバッテリ装置と、
前記所定対象装置としての内視鏡操作部と、
を備える内視鏡装置。
【請求項５】
前記切替手段は、前記装着手段で装着される前記バッテリ装置と前記内視鏡操作部との相対的な位置の変化に伴って、前記第１の接点部と前記第２の接点部との接続または切り離しを行い、
前記摺動手段は、前記接続時に少なくとも一方の前記接点部の摺動の開始および終了を行うことを特徴とする請求項４に記載の内視鏡装置。
【請求項６】
前記バッテリ装置にて、前記第１の接点部と前記第２の接点部とが電気的に接続した状態で、前記第１および第２の接点部のうちの少なくとも一方が、通常導電位置と摺動位置との間を往復移動可能なことを特徴とする請求項４に記載の内視鏡装置。
【発明の詳細な説明】
【技術分野】
【０００１】
本発明は、１次電池または２次電池として使用されるバッテリ手段（以下、単に「バッテリ」という）を有するバッテリ装置および内視鏡装置に関するものである。
【背景技術】
【０００２】
たとえば、従来の乾電池などのバッテリは、所定の装置に設けられた正極および負極の電極を備えたバッテリ収容ケースに収容されており、これら電極および電極に繋がる導電線などを介して電気的に接続された所定の機能を実行する機能実行手段としての負荷装置に電力を供給することで、この機能実行手段の駆動を可能にしている。
【０００３】
ところが、近年では、このような構成のバッテリを加圧蒸気状態の外部環境化に配置する状況が発生する場合が考えられる。このような状況としては、バッテリを、たとえば被検体に対する医療行為に使用する際に、滅菌を必要とする場合などが考えられる。このような場合には、一般的に用いられている、たとえばステンレス鋼などの金属やプラスチック材質のバッテリ収容ケースにバッテリを収容する構成では、外部からの蒸気がバッテリ内に侵入してしまって、金属部材に錆が発生し、摺動部の摺動力量が大きくなったり、電気的な接点部の導通抵抗が低くなってしまう虞があった。たとえば、機能実行装置として特許文献１に示す医療用の内視鏡装置においては、バッテリ収容ケースにバッテリを収容して、負荷装置であるランプとバッテリを電気的に接続させて、ランプに電力を供給するとともに、接続部、たとえばバッテリ収容ケースとランプ室ケースとの接続部などをＯリングでシールすることで水密に構成されている。
【０００４】
この内視鏡装置では、このランプからの出射光をライトガイドファイバなどに導光し、ライト部先端側の照明窓からこの導光された照明光を出射させて、被検者の被検部位である胃、大腸などの臓器の内部（体腔内）を照明し、その反射光を内視鏡装置に取り込むことで、医者もしくは看護士による観察を可能にしていた。
【０００５】
【特許文献１】特開平９−５６６７２号公報
【発明の開示】
【発明が解決しようとする課題】
【０００６】
しかしながら、現状の医療においては、たとえば高温度と圧力を加えた加圧水蒸気を生成し、この水蒸気によって、内視鏡装置を蒸気滅菌（オートクレーブ滅菌）してから、被検者に対して使用する状況が生じる場合がある。このオートクレーブ滅菌では、たとえば１３５℃に加熱され、かつ２．２気圧に加圧された加圧水蒸気で、内視鏡装置を２０分間加熱して滅菌するので、水蒸気がＯリングを通過して内部に侵入してしまう。すなわち、Ｏリングでは、蒸気浸入を完全に防ぎ、内部の水密を保つことができず、上述したごとく、金属部材に錆が発生し、これによって摺動部の摺動力量が大きくなったり、電気的な接点部の導通抵抗が低下する場合がある。
【０００７】
本発明は、上記問題に鑑みてなされたものであって、金属部材に錆が発生しにくくし、摺動部の摺動力量が大きくなったり、電気的な接点部の導通抵抗が低下するのを防止することができるバッテリ装置および内視鏡装置を提供することを目的とする。
【課題を解決するための手段】
【０００８】
上述した課題を解決し、目的を達成するために、本発明にかかるバッテリ装置は、バッテリ手段を収納するための装置内部に設けられ、前記バッテリ手段と電気的に接続するための電極部と、前記電極部と接続される第１の接点部と、前記バッテリ手段から供給される電源により作動する機能実行手段と、前記機能実行手段と接続される第２の接点部と、前記第１の接点部と前記第２の接点部との接続または切り離しを行う切替手段と、前記接続された第１および第２の接点部のうちの少なくとも一方を摺動させる摺動手段と、を備えることを特徴とする。
【０００９】
また、請求項２の発明にかかるバッテリ装置は、上記発明において、所定対象装置に装着される装着手段を、さらに備え、前記切替手段は、前記装着手段で装着される前記バッテリ装置と前記所定対象装置との相対的な位置の変化に伴って、前記第１の接点部と前記第２の接点部との接続または切り離しを行い、前記摺動手段は、前記接続時に少なくとも一方の前記接点部の摺動の開始および終了を行うことを特徴とする。
【００１０】
また、請求項３の発明にかかるバッテリ装置は、上記発明において、前記第１の接点部と前記第２の接点部とが電気的に接続した状態で、前記第１および第２の接点部のうちの少なくとも一方が、通常導電位置と摺動位置との間を往復移動可能なことを特徴とする。
【００１１】
また、請求項４の発明にかかる内視鏡装置は、バッテリ手段を収納するための装置内部に設けられ、前記バッテリ手段と電気的に接続するための電極部と、前記電極部と接続される第１の接点部と、前記バッテリ手段から供給される電源により作動する機能実行手段と、前記機能実行手段と接続される第２の接点部と、前記第１の接点部と前記第２の接点部との接続または切り離しを行う切替手段と、前記接続された第１および第２の接点部のうち、少なくとも一方を摺動させる摺動手段と、所定対象装置に装着される装着手段と、を有するバッテリ装置と、前記所定対象装置としての内視鏡操作部と、を備えることを特徴とする。
【００１２】
また、請求項５の発明にかかる内視鏡装置は、上記発明において、前記切替手段は、前記装着手段で装着される前記バッテリ装置と前記内視鏡操作部との相対的な位置の変化に伴って、前記第１の接点部と前記第２の接点部との接続または切り離しを行い、前記摺動手段は、前記接続時における少なくとも一方の前記接点部の摺動の開始および終了を行うことを特徴とする。
【００１３】
また、請求項６の発明にかかる内視鏡装置は、上記発明において、前記バッテリ装置にて、前記第１の接点部と前記第２の接点部とが電気的に接続した状態で、前記第１および第２の接点部のうちの少なくとも一方が、通常導電位置と摺動位置との間を往復移動可能なことを特徴とする。
【発明の効果】
【００１４】
本発明にかかるバッテリ装置は、切替手段によって接続された第１および第２の接点部のうち、少なくとも一方の接点部を、その接続された状態で摺動手段が摺動させるので、前記接点部の接続面が互いに擦れ合って、金属部材である接点部に錆が発生しにくくなり、電気的な接点部の導通抵抗が低下するのを防止することができるという効果を奏する。
【００１５】
本発明にかかる内視鏡装置は、内視鏡操作部に装着されたバッテリ装置の切替手段によって接続された第１および第２の接点部のうち、少なくとも一方の接点部を、その接続された状態で摺動手段が摺動させるので、前記接点部の接続面が互いに擦れ合って、金属部材である接点部に錆が発生しにくくなり、電気的な接点部の導通抵抗が低下するのを防止することができるという効果を奏する。
【発明を実施するための最良の形態】
【００１６】
以下に、本発明にかかるバッテリ装置および内視鏡装置の実施の形態を図１〜図１４の図面に基づいて詳細に説明する。なお、本発明は、これらの実施の形態に限定されるものではなく、本発明の要旨を逸脱しない範囲で種々の変更実施の形態が可能である。
【００１７】
（実施の形態１）
図１は、本発明にかかるバッテリ装置を用いる携帯型内視鏡装置の構成の一例を示す斜視図である。図において、内視鏡装置１は、液体の漏れや透過を防ぐ水密構造の内視鏡２と、この内視鏡２に着脱自在に装着されて電気的に接続されるバッテリ装置３とで構成されている。また、この内視鏡２には、バッテリ装置３の代わりに、図示しないライトガイドケーブルを着脱自在に装着させることも可能である。
【００１８】
この内視鏡２は、一端に設けられた接眼部２１と、この接眼部２１が取り付けられる取り付け側に設けられた操作部２２と、この操作部２２の他端に設けられ、被検体内に挿入される細長の円筒形状の挿入部２３とを有する。この取り付け側の操作部２２の側面には、ライトガイド口金２２ａが突出して設けられており、バッテリ装置３の接続部３１が着脱自在に接続される。また、この操作部２２の側面には、異なる位置に、挿入部２３先端の湾曲動作の操作を行うための湾曲操作レバー２２ｂと、吸引操作を行うための吸引ボタン２２ｃとがそれぞれ突設されている。この吸引ボタン２２ｃの側面には、内視鏡２内に設けられた吸引チャンネル（図示せず）に連通する吸引口金２２ｄが突出しており、たとえばこの吸引口金２２ｄにチューブを取り付け、このチューブを介して所定の吸引装置に接続させ、上述した吸引ボタン２２ｃを適宜操作することで、挿入部２３、吸引チャンネルおよび吸引口金２２ｄを介して体腔内の液体などの吸引排出を行うことができる。
【００１９】
また、この操作部２２には、内視鏡２を保持して固定するために、医者などが把持する把持部２２ｅが設けられている。この操作部２２において、挿入部２３が取り付けられる取り付け側には、鉗子を挿入するための鉗子挿入口２２ｆが突設されており、この鉗子挿入口２２ｆは、通常鉗子栓２２ｇで閉塞されている。また、鉗子挿入口２２ｆの対向側には、たとえば通気口金２２ｈが設けられ、この通気口金２２ｈから内視鏡２内部に空気を送入することによって、内視鏡２の水漏れ検査を行うことが可能となる。
【００２０】
被検体内に挿入される挿入部２３は、先端に設けられた硬質の先端部２３ａと、操作部２２の操作によって湾曲動作を行う湾曲部２３ｂと、柔軟性を有する可撓管２３ｃとを備え、これらの部位は一列に連なるように構成されている。
【００２１】
挿入部２３内には、バッテリ装置３から出射された照明光を導くためのライトガイドファイバ（図示せず）が内装されている。このライトガイドファイバの一端は、操作部２２内部で屈曲され、ライトガイド口金２２ａ内に固定されている。また、このライトガイドファイバの他端は、挿入部２３の先端に設けられた照明窓２３ｄに固定されている。したがって、内視鏡装置１は、バッテリ装置３から出射された照明光を、ライトガイド口金２２ａからライトガイドファイバを通って、照明窓２３ｄから外部に照射でき、これにより挿入された被検体の体腔内を照明することが可能となる。また、ライトガイド口金２２ａの外周面には、接続用の雄ネジ部２２ｉが設けられている。
【００２２】
図２は、図１に示した操作部２２とバッテリ装置３の接続部３１の外観を説明するための図であり、図３は、図１に示したバッテリ装置の全体構成を示す図であり、図４は、同じくバッテリ装置のランプ収容部を主とするＡ−Ａ断面の構成の一例を示す断面図である。図２〜図４において、バッテリ装置３の接続部３１は、外周面に設けられた接続環３１ａを有し、接続環３１ａは、内周面に形成されている雌ネジ部３１ｂと、雌ネジ部３１ｂの外周面を被覆するネジカバー３１ｃとを備えている。この接続環３１ａは、円筒形状の接続口金３１ｄの外周面を囲繞するように設けられ、かつ接続口金３１ｄの長手方向の移動が一定の範囲で移動可能なように規制された状態で、この接続口金３１ｄに取り付けられている。そして、この雌ネジ部３１ｂが、ライトガイド口金２２ａの外周面に設けられた雄ネジ部２２ｉと螺合するように構成されている。
【００２３】
また、接続口金３１ｄの外周面には、水密リング３１ｅが周設されており、接続部３１をライトガイド口金２２ａに接続させる時に、この水密リング３１ｅがライトガイド口金２２ａの接続筒２２ｊの内周面に密着している。すなわち、このバッテリ装置３の接続環３１ａを所定方向に回転させ、ライトガイド口金２２ａの雄ネジ部２２ｉと接続環３１ａの雌ネジ部を螺合させることで、内視鏡２のライトガイド口金２２ａに接続環３１ａが螺合固定され、かつ接続筒２２ｊと接続口金３１ｄが水密リング３１ｅによって密着されて、内視鏡２とバッテリ装置３が一体に組み合わされることとなる。この構成により、この連結部での水密が確保される。
【００２４】
図３、図４において、バッテリ装置３は、横長の長方体形状の枠体からなるランプを収容するランプ収容部３２と、バッテリ手段としてのバッテリ３４を収容するバッテリ収容空間を形成する内面３３ｅを有する縦長の長方体形状の枠体からなるバッテリ収容部３３と、バッテリ収容部３３の上端部に、たとえば蝶番式で開閉自在に連結された蓋体３５とを備える。
【００２５】
ランプ収容部３２は、収容部本体３２ａと、ランプ５０を保持して収容部本体３２ａに嵌合される水密構造の水密リング３２ｂと、水密リング３２ｂに付設されるランプ接点バネ部３２ｃとを備える。収容部本体３２ａは、たとえば絶縁性の樹脂素材で一端に太径の孔からなる太孔部と、細径の孔からなり大孔部に連通する細孔部とを有して形成され、これら孔部は、外部と連通している。水密リング３２ｂは、この収容部本体３２ａの太孔部に嵌合可能に形成されている。ランプ接点バネ部３２ｃは、この収容部本体３２ａの細径部とネジなどによって嵌合可能で、かつ細孔部に挿入、保持されたランプ５０の基端電極５０ａと接続可能な接点バネから形成されている。また、ランプ接点バネ部３２ｃは、後述する導電接点板５７の屈曲部５７ａと接続されている。さらに、収容部本体３２ａの細孔部内には、ランプ５０を保持するためのランプ収納筒５１、ランプ５０の前方に設けられた集光レンズ５２を保持するためのレンズ保持筒５３、摺動可能なクリック板５４を有するクリック機構などが配設されている。
【００２６】
ランプ収納筒５１は、導電性の良好な素材で、略円筒形状に形成されている。このランプ収納筒５１の基端部は、フランジ形状をしており、弾性を有し摺動抵抗を増加させるリング６０を挟んで収容部本体３２ａに回動自在に係合している。なお、ランプ収納筒５１内に保持されるランプ５０は、基端電極５０ａの他に、金属製の筒体の外周部から形成される電極５０ｂを備え、この電極５０ｂは、ランプ収納筒５１に接触している。
【００２７】
バッテリ収容部３３の内部には、バッテリ３４の電極と接触して電気的に接続されるコイルバネ３３ａおよび円柱形状の接続端子３３ｂと、バッテリ収容部３３の底部に配設され、コイルバネ３３ａおよび接続端子３３ｂと接続される電源回路３３ｃとを備える。コイルバネ３３ａおよび接続端子３３ｂは、直列に接続されたバッテリ３４の電力を電源回路３３ｃに供給している。電源回路３３ｃには、バッテリ３４の電圧を、ランプ５０の定格電圧、たとえば４．８Ｖに変換する図示しない変圧回路が設けられている。
【００２８】
ランプ収容部３２の収容部本体３２ａとバッテリ収容部３３は、一体的に接合されている。このランプ収容部３２とバッテリ収容部３３との間には、弾性力を有する導電接点板５５〜５７と、後述するスイッチ操作により導電接点板５５と５６の接続および切り離しを行う絶縁ブロック５８と、導電接点板５５を摺動させる摺動ブロック５９とが配置されている。絶縁ブロック５８は、ランプ収納筒５１の所定位置に固定され、回動するバッテリ装置３に伴って、導電接点板５５をバッテリ収容部３３の長手方向に変形させている。また、摺動ブロック５９は、絶縁ブロック５８の切替動作によって導電接点板５５と５６とが接続された状態の時に、導電接点板５５の摺動を可能にするように、ランプ収納筒５１の所定位置に固定されている。なお、絶縁ブロック５８および摺動ブロック５９の固定位置は、ランプ５０のオン状態、オフ状態になるスイッチ位置に対応している。
【００２９】
蓋体３５は、非導電部材で形成されており、閉状態でバッテリ３４と接続される導電板３５ａと、縁部に設けられた固定爪部３５ｂとを備える。この実施の形態では、バッテリ収容部３３の内面３３ｅ内に、バッテリ３４が矢印Ｂに示すように挿入および収納され、蓋体３５を閉めた時に、バッテリ３４が導電板３５ａに接触して直列状態で接続される。
【００３０】
また、バッテリ装置３は、蓋体３５が連結された上端部と対向する上端部に、ロック機構部３６を備える。このロック機構部３６は、固定爪部３５ｂに係合するロック爪部３６ａと、バッテリ収容部３３に対して回動するとともに、この回動に対応してロック爪部３６ａを回動可能に支持する開放レバー３６ｂとから形成されている。このため、このロック爪部３６ａは、開放レバー３６ｂの動作に連動して固定爪部３５ｂに対して固定した状態または開放した状態をとることが可能となる。つまり、蓋体３５は、固定爪部３５ｂに係合する、いわゆるバックル式のロック機構によってバッテリ収容部３３に一体固定されている。
【００３１】
次に、図５に基づいて、バッテリ装置３のスイッチ操作を説明する。図５において、この実施の形態では、操作部２２にバッテリ装置３を螺合固定する際に、バッテリ装置３のバッテリ収容部３３を内視鏡２の長手方向に対して平行な相対位置関係（図５中、二点鎖線に示す位置関係）に設定し、ランプ５０が点灯しないように、バッテリ装置をオフ状態にしておく。
【００３２】
次に、このオフ状態の位置を基準に、かつ水密リング３２ｂを中心として、バッテリ収容部３３を時計の進行方向に９０度回転させて、図５の実線位置にバッテリ収容部３３を配置することにより、ランプ５０が点灯するオン状態になる。したがって、ライトガイド口金２２ａにバッテリ装置３を装着して、実線位置にバッテリ収容部３３を移動することにより、バッテリ装置３内に設けられたランプ５０が発光状態になる。
【００３３】
図６〜図１１は、スイッチ位置を説明するための断面図であり、図６、図８および図１０は、図４のＣ−Ｃ断面図、図７、図９および図１１は、図４のＤ−Ｄ断面図である。導電接点板５５〜５７は、ランプ収納筒５１方向に付勢するように、収容部本体３２ａにネジ止めされており、導電接点板５５，５７の一端部には、幅広の屈曲部５５ａ，５７ａが形成されている。また、導電接点板５６の一端部には、幅広の平板部５６ａが形成されている。導電接点板５５，５６は、この屈曲部５５ａと平板部５６ａとで電気的に接触している。
【００３４】
導電接点板５５の一端部は、先端がバッテリ収容部３３側に屈曲して形成されているので、上記スイッチ操作により、弾性範囲内で絶縁ブロック５８に乗り降りが可能な構成となっている。図６、図７に示すように、導電接点板５５の屈曲部５５ａが絶縁ブロック５８に乗り上げた状態では、導電接点板５５と５６とが切り離されて、スイッチがオフ状態になる。
【００３５】
次に、図８、図９に示すように、導電接点板５５の屈曲部５５ａが絶縁ブロック５８を通り越した状態では、導電接点板５５の屈曲部５５ａと導電接点板５６の平板部５６ａとが押圧接触して、スイッチが第１のオン状態になり、摺動ブロック５９が屈曲部５５ａの側面に当接して、屈曲部５５ａを収容部本体３２ａの長手方向（図９中の矢印方向）に摺動させる。これによって、導電接点板の接続面が互いに擦れ合って、金属部材である導電接点板に錆が発生しにくくなり、電気的な導電接点板の導通抵抗が低下するのを防止できる。
【００３６】
さらに、図１０、図１１に示すように、摺動ブロック５９が屈曲部５５ａの側面を通り過ぎた状態では、導電接点板５５の屈曲部５５ａが元の位置に復帰して、スイッチが第２のオン状態になり、屈曲部５５ａと平板部５６ａとの接続状態が維持される。なお、このスイッチが第１のオン状態にあるときの屈曲部５５ａの位置を、「通常導電位置」と定義し、スイッチが第２のオン状態にあるときに屈曲部５５ａの位置を、「摺動位置」と定義すると、導電接点板５５は、この通常導電位置と摺動位置との間で電気的接続を保ったまま往復移動を行うことができる。
【００３７】
導電接点板５６は、このスイッチ操作にかかわらず、導電素材からなるランプ収納筒５１に常に押圧接触している。そして、スイッチがオフ状態の時に、平板部５６ａの一部が絶縁ブロック５８の下に潜り込んで、ランプ収納筒５１との間に設けた隙間に収容される構成になっている。したがって、導電接点板５６は、ランプ収納筒５１を介してランプ５０の電極５０ｂと電気的に接続されている。
【００３８】
導電接点板５７は、屈曲部５７ａを収容部本体３２ａの細孔部内部に突出するように配置されており、屈曲部５７ａは、図５に示すように、水密リング３２ｂおよびランプ接点バネ部３２ｃを収容部本体３２ａの孔部に装着した時に、ランプ接点バネ部３２ｃのリング形状部に押圧接触することが可能なように形成されている。したがって、導電接点板５７は、ランプ接点バネ部３２ｃを介してランプ５０の基端電極５０ａと電気的に接続されている。
【００３９】
バッテリ３４は、たとえばニッケル水素充電池からなり、１本当たり１．２Ｖの起電力を有し、２本のバッテリを直列に接続することで、２．４Ｖの電源電圧を得ている。このバッテリ３４の陽極側は変圧回路に接続され、負極側は導電接点板５５の他端部に接続されている。また、導電接点板５６，５７の他端部は、変圧回路に接続され、導電接点板５５と５６とが接触した状態で、変圧回路への電源供給回路が構成される。
【００４０】
このような構成により、この実施の形態では、内視鏡の操作部２２とバッテリ装置３との相対的な位置の変化に伴って、導電接点板５５がスイッチ操作されることにより、変圧回路が起動して、たとえば４．８Ｖに昇圧した電力をランプ５０へ供給することが可能となる。
【００４１】
また、この実施の形態では、内視鏡の操作部２２とバッテリ装置３との相対的な位置の変化に伴って、導電接点板５５，５６の接触時に、導電接点板５５を摺動ブロック５９で摺動させて、導電接点板５５，５６の接続面が互いに擦れ合うようになるので、金属部材である導電接点板に錆が発生しにくくなり、電気的な導電接点板の導通抵抗が低下や接触不良を防止することができる。
【００４２】
なお、この実施の形態では、１つの摺動ブロック５９を配設して導電接点板５５を摺動させるように構成したが、本発明はこれに限らず、２つ以上の摺動ブロックを所定間隔で配設し、内視鏡の操作部２２とバッテリ装置３との相対的な位置の変化に伴う１度のスイッチ操作の間に、導電接点板５５を複数回摺動させるように構成することも可能である。この場合には、導電接点板５５，５６の接続面が複数回擦れ合うようになるので、さらに金属部材である導電接点板に錆が発生しにくくなり、電気的な導電接点板の導通抵抗の低下や導電接点板同士の接触不良を容易に防止することができる。
【００４３】
（実施の形態２）
図１２は、図１に示したバッテリ装置のランプ収容部を主とするＡ−Ａ断面の構成の他例を示す断面図である。この図１２において、実施の形態１と異なる点は、図４に示したバッテリ３４の負電極に接触するコイルバネ３３ａの代わりに、板バネから形成される接続端子３３ｄを備えた点である。この接続端子３３ｄは、舌片形状の板バネからなっており、一端がバッテリ収容部３３の底部に固定され、他端が板バネの付勢力によって、バッテリ装置３内に収納されたバッテリ３４の負電極と接触し、この負電極面と摺動が容易なように構成されている。
【００４４】
すなわち、バッテリ装置３内に収納されたバッテリ３４の重さおよびロック機構部３６による蓋体３５の閉塞によって（図３参照）、接続端子３３ｄの付勢力より大きい力が接続端子３３ｄに加わると、接続端子３３ｄは、図１２に示す非使用位置である一点鎖線の位置から、接触するバッテリ３４の負電極面を摺動しながら電源回路３３ｃ方向の使用位置である実線位置に移動することが可能となる。
【００４５】
このような構成により、この実施の形態では、バッテリ３４と接触する接続端子３３ｄに、接続端子３３ｄの付勢力より大きい力が加わると、接続端子３３ｄは、コイルバネでは行うことができなかった、バッテリ３４の電極面を摺動しながら電源回路３３ｃ方向に変形して、バッテリの電極面と接続端子とが互いに擦れ合うことが可能となるので、オートクレーブ滅菌などの加圧水蒸気の浸入に対しても、金属部材である接続端子に錆が発生しにくくなり、電気的な接続端子の導通抵抗の低下やバッテリの電極面との接触不良を容易に防止することができる。
【００４６】
また、本発明では、バッテリ装置３のたとえば図１２に示すクリック板５４などの摺動部や、ランプ接点バネ部３２ｃ、ランプ５０の電極５０ａ，５０ｂおよび導電接点板５５〜５７などの接点部などの金属部材を、錆が発生しにくい金属部材、たとえばＳＵＳ３１６Ｌ、ＳＵＳ３１６、ニッケル含有量の高いステンレス鋼で形成することも可能である。この場合にも、オートクレーブ滅菌などの加圧水蒸気の浸入に対して、金属部材である摺動部や接点部などに錆がさらに発生しにくくなり、摺動部の摺動力量が大きくなったり、電気的な接点部の導通抵抗が低下やバッテリの電極面との接触不良を容易に防止することができる。
【００４７】
また、本発明では、これら摺動部や接点部などの金属部材を、錆が発生しにくい表面仕上げ、たとえば表面粗さ区分６．３（６．３μｍ）以上に金属部材の表面を仕上げる表面仕上げを行うことも可能である。この場合も、金属部材である摺動部や接点部などに錆がさらに発生しにくくなり、上記と同様の効果を奏することができる。
【００４８】
さらに、本発明では、これら摺動部や接点部などの金属部材に、錆が発生しにくい表面処理、たとえばネプロス処理、磁気研磨処理、電界研磨処理、Ｎｉ−Ａｕメッキ処理、Ｎｉメッキ処理、クロメート処理などの表面処理を施すことも可能である。この場合も、金属部材である摺動部や接点部などに錆がさらに発生しにくくなり、上記と同様の効果を奏することができる。
【００４９】
（実施の形態３）
図１３は、図１に示したバッテリ装置３のＡ−Ａ断面を示す断面図である。従来のバッテリ装置では、たとえばバッテリ収容部３３と蓋体３５との当接面にＯリング３７を配設して（図１３参照）、水蒸気の浸入を軽減するものがあるが、オートクレーブ滅菌などの時に発生する加圧水蒸気の浸入を防ぐことは難しいという問題点があった。
【００５０】
そこで、この実施の形態では、バッテリ３４の電極と接触する接点部の近傍にＯリングを設けて、加圧水蒸気の浸入を防止するように構成する。具体的には、図１３に示すように、蓋体３５に設けたコイルバネ３３ａを囲む上記蓋体３５の所定位置に、Ｏリング３８を設けるとともに、バッテリ収容部３３内に設けた接続端子３３ｂを囲む上記バッテリ収容部３３内の所定位置に、Ｏリング３９を設ける。さらに、蓋体３５をロック機構部３６によって閉塞した時に、Ｏリング３８は、バッテリ収容部３３内に装填されたバッテリ３４の負電極と接触し、Ｏリング３９は、バッテリ３４の外装部と接触することで、接点部および電極が水密的に隔離するように構成されている。
【００５１】
このような構成により、この実施の形態では、バッテリ収容部３３と蓋体３５との当接面にＯリング３７を設けるとともに、バッテリ収容部３３内に装填されるバッテリ３４との接点部を囲む位置にＯリング３８，３９を設け、装填されたバッテリ３４とＯリング３８，３９によって、接点部および電極の水密を二重に図ることが可能となるので、金属部材である接点部や電極などに錆が発生しにくくなり、電気的な接続端子の導通抵抗の低下やバッテリの電極面との接触不良を容易に防止することができる。
【００５２】
（実施の形態４）
図１４は、図１に示したバッテリ装置３の構成の他例を示す斜視図である。この実施の形態では、錆発生の防止対策として、バッテリ収容部３３に吸湿シート４３を収納することが可能な吸湿シート収納部４１を設けるとともに、収納された吸湿シート４３の吸湿状態を目視可能な透明の窓部４２をバッテリ収容部３３の側面に設けた点である。この吸湿シート収納部４１は、バッテリ収容空間を形成する内面３３ｅやその他のバッテリ収容部３３の内部空間と連通して形成されており、吸湿シート収納部４１内に配設された吸湿シート４３によって、外部からバッテリ収容部３３の内部空間に侵入する水蒸気の吸湿を可能にしている。
【００５３】
吸湿シート４３は、たとえば吸湿性のラミネートフィルムなどからなり、フィルムの色の変化によって、吸湿程度が認識できるインジケータの機能を有している。この吸湿シート４３は、吸湿シート収納部４１の大きさに合わせて任意の形状に加工可能に、かつ容易に交換可能に構成されている。また、この実施の形態では、吸湿シート４３の吸湿程度を窓部４２から目視することができるので、吸湿シートの交換磁気を容易に認識することができる。
【００５４】
このような構成により、この実施の形態では、外部からバッテリ装置３の内部に侵入する水蒸気を、吸湿シート収納部４１に収納された吸湿シート４３で吸収することが可能となるので、オートクレーブ滅菌などの加圧水蒸気の浸入に対して、金属部材である摺動部や接点部などに錆がさらに発生しにくくなり、摺動部の摺動力量が大きくなったり、電気的な接点部の導通抵抗が低下やバッテリの電極面との接触不良を容易に防止することができる。
【００５５】
なお、この実施の形態では、蓋体３５が連結されたバッテリ収容部３３の一面と対向する面に吸湿シート４３を設けたが、本発明はこれに限らず、たとえばバッテリ収容部３３を構成する四方の側面のうちの全部または任意の側面に吸湿シート４３が収納された吸湿シート収納部４１を設けて、バッテリ装置３の内部に侵入する水蒸気を吸収するように構成することも可能である。この場合には、吸湿シートによる吸湿機能がさらに向上し、金属部材である摺動部や接点部などに錆がさらに発生しにくくなり、摺動部の摺動力量が大きくなったり、電気的な接点部の導通抵抗が低下やバッテリの電極面との接触不良を容易に防止することができる。
【００５６】
また、上述した実施の形態では、本発明にかかるバッテリ装置を内視鏡装置に用いた場合を説明したが、本発明はこれに限らず、たとえば電気メス、超音波手術器具、熱メス、ドリル、シェーバー、ステーブラー、口頭鏡、超音波観測装置、カプセル型内視鏡などの滅菌を必要とする手術用器具もしくは検査用器具および観測用器具の電源としても用いることが可能である。また、人工臓器やペースメーカーなどの滅菌を必要とする体内埋め込み器具の電源としても用いることが可能である。また、観測用に使用されるモニターやレーザーポインターなどの手術室の清潔域で使用する機器の電源としても用いることが可能である。さらには医療器具に限らず、火災現場やプラントなどの高温および低温多湿のタンクや配管などを観察するときに用いられる工業用の内視鏡、宇宙ステーションで用いられ、高温から低温の温度条件の厳しい宇宙環境で使用される機器（たとえば作業用マニピュレータや自立移動するロボットなど）の電源としても用いることが可能である。これら内視鏡装置、医療器具などは、本発明にかかるバッテリ装置の一部を構成するものである。
【図面の簡単な説明】
【００５７】
【図１】本発明にかかるバッテリ装置を用いる携帯型内視鏡装置の構成の一例を示す斜視図である。
【図２】図１に示した操作部とバッテリ装置の接続部の外観を説明するための図である。
【図３】図１に示したバッテリ装置の全体構成を示す図である。
【図４】同じく、バッテリ装置のランプ収容部を主とするＡ−Ａ断面の構成の一例を示す断面図である。
【図５】操作部とバッテリ装置との相対位置の違いによるバッテリ装置のスイッチ操作を説明するための図である。
【図６】オフ状態のスイッチ位置を示す図４のＣ−Ｃ断面を示す断面図である。
【図７】オフ状態のスイッチ位置を示す図４のＤ−Ｄ断面を示す断面図である。
【図８】第１のオン状態のスイッチ位置を示す図４のＣ−Ｃ断面を示す断面図である。
【図９】第１のオン状態のスイッチ位置を示す図４のＤ−Ｄ断面を示す断面図である。
【図１０】第２のオン状態のスイッチ位置を示す図４のＣ−Ｃ断面を示す断面図である。
【図１１】第２のオン状態のスイッチ位置を示す図４のＤ−Ｄ断面を示す断面図である。
【図１２】図１に示したバッテリ装置のランプ収容部を主とするＡ−Ａ断面の構成の他例を示す断面図である。
【図１３】図１に示したバッテリ装置のＡ−Ａ断面を示す断面図である。
【図１４】図１に示したバッテリ装置の構成の他例を示す斜視図である。
【符号の説明】
【００５８】
１  内視鏡装置
２  内視鏡
３  バッテリ装置
２１  接眼部
２２  操作部
２２ａ  ライトガイド口金
２２ｂ  湾曲操作レバー
２２ｃ  吸引ボタン
２２ｄ  吸引口金
２２ｅ  把持部
２２ｆ  鉗子挿入口
２２ｇ  鉗子栓
２２ｈ  通気口金
２２ｉ  雄ネジ部
２２ｊ  接続筒
２３  挿入部
２３ａ  先端部
２３ｂ  湾曲部
２３ｃ  可撓管
２３ｄ  照明窓
３１  接続部
３１ａ  接続環
３１ｂ  雌ネジ部
３１ｃ  ネジカバー
３１ｄ  接続口金
３１ｅ  水密リング
３２  ランプ収容部
３２ａ  収容部本体
３２ｂ  水密リング
３２ｃ  ランプ接点バネ部
３３  バッテリ収容部
３３ａ  コイルバネ
３３ｂ，３３ｄ  接続端子
３３ｃ  電源回路
３３ｅ  内面
３４  バッテリ
３５  蓋体
３５ａ  導電板
３５ｂ  固定爪部
３６  ロック機構部
３６ａ  ロック爪部
３６ｂ  開放レバー
３７〜３９  Ｏリング
４１  吸湿シート収納部
４２  窓部
４３  吸湿シート
５０  ランプ
５０ａ，５０ｂ  電極
５１  ランプ収納筒
５２  集光レンズ
５３  レンズ保持筒
５４  クリック板
５５〜５７  導電接点板
５５ａ，５７ａ  屈曲部
５６ａ  平板部
５８  絶縁ブロック
５９  摺動ブロック
６０  リング
【図１】
2006120531.tif 000003
【図２】
2006120531.tif 000004
【図３】
2006120531.tif 000005
【図４】
2006120531.tif 000006
【図５】
2006120531.tif 000007
【図６】
2006120531.tif 000008
【図７】
2006120531.tif 000009
【図８】
2006120531.tif 000010
【図９】
2006120531.tif 000011
【図１０】
2006120531.tif 000012
【図１１】
2006120531.tif 000013
【図１２】
2006120531.tif 000014
【図１３】
2006120531.tif 000015
【図１４】
2006120531.tif 000016